【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
干渉検体を有する混合試料内の選択検体の濃度を決定する電気化学的方法であって、該方法は、
該混合試料に刺激波形を印加することにより、非線形信号を生成することと、
該生成信号を測定することと、
該生成信号の全部または一部の少なくとも１つのパラメータを計算することと、
該選択検体および干渉検体のそれぞれに対する検体ベクトルと該少なくとも１つのパラメータとに基づいて、推定式の解を求めることにより、該混合試料内の該選択検体の濃度を決定すること
を包含する、方法。
【請求項２】
前記刺激波形は、大振幅電位波形であり、前記非線形信号は、非線形電流信号である、請求項１に記載の方法。
【請求項３】
前記刺激波形は、電流であり、前記生成信号は、電位である、請求項１に記載の方法。
【請求項４】
前記少なくとも１つのパラメータは、
ある時点における前記生成信号および／または刺激波形の値と、
該生成信号および／または刺激波形の全部または一部の計算された関数であって、
あるポイントにおける該生成信号および／または刺激波形の勾配、または該生成信号および／または刺激波形の一部の勾配と、
該生成信号および／または刺激波形の一部にわたる減衰速度と、
該生成信号および／または刺激波形の一部にわたる立上がり速度と、
該生成信号および／または刺激波形の一部にわたる平均値と、
該生成信号および／または刺激波形の全部または一部の周波数変換値と、
該生成信号および／または刺激波形の一部の対数と、
該生成信号および／または刺激波形の一部のあるルートと、
ある電力まで立ち上げられた該生成信号および／または刺激波形の一部と、
該生成信号および／または刺激波形内の２つの規定ポイント間での経過時間とのうちの１つ以上を含む計算された関数と、
該少なくとも１つ以上のパラメータの組み合わせであって、
ある時間間隔中の該生成信号および／または刺激波形の平均値により除算された、該時間間隔中の該生成信号および／または刺激波形の減衰速度と、
２つの規定ポイント間での該生成信号および／または刺激波形の値の差と、
該生成信号および／または刺激波形の２つの異なる部分間における該生成信号および／または刺激波形の勾配の差とのうちの１つ以上を含む該少なくとも１つのパラメータの組み合わせと
のうちの１つ以上を含む、請求項１から３のいずれか一項に記載の方法。
【請求項５】
前記推定式は、１つの周波数における検体ベクトルに基づく、請求項１から４のいずれか一項に記載の方法。
【請求項６】
前記推定式は、複数の周波数における検体ベクトルに基づく、請求項１から４のいずれか一項に記載の方法。
【請求項７】
前記検体ベクトルの一方または双方と前記少なくとも１つのパラメータとが重み付けされる、請求項１から６のいずれか一項に記載の方法。
【請求項８】
前記検体ベクトルは、前記少なくとも１つのパラメータを含み、かつ、前記刺激波形および／または生成信号の異なる部分に関連する、請求項１から７のいずれか一項に記載の方法。
【請求項９】
前記検体ベクトルが、前記少なくとも１つのパラメータを含み、かつ、非周期的部分と前記刺激波形および／または生成信号のＤＣ部分とのうちの少なくとも１つに関連する、請求項１から８のいずれか一項に記載の方法。
【請求項１０】
前記推定式が、
１つ以上の周波数におけるフーリエ係数の１つ以上の実数部または虚数部と、
１つ以上の周波数におけるフーリエ係数の１つ以上の重み付けされた実数部または虚数部と、
前記刺激波形および／または生成信号の１つ以上の部分と、
該刺激波形および／または生成信号の１つ以上の周期的部分と、
該刺激波形および／または生成信号の１つ以上の非周期的部分と、
該刺激波形および／または生成信号の１つ以上のＤＣ部分とからなるグループから選択された複数の前記少なくとも１つのパラメータに基づく、請求項１から９のいずれか一項に記載の方法。
【請求項１１】
パフォーマンスとロバスト性とのバランスをとるために、前記推定式は、前記少なくとも１つのパラメータの選択個数に基づく、請求項１から９のいずれか一項に記載の方法。
【請求項１２】
前記生成信号は、非線形電流信号であり、
前記少なくとも１つのパラメータを決定するステップは、前記選択検体のための基準電流信号の１つ以上の周波数において１つ以上のフーリエ係数の複数の実数部と虚数部とを含む検体ベクトルを用いて、ベクトル射影法によって、前記生成信号内の前記選択検体からの信号の寄与成分を求めるステップを包含する、請求項１から９のいずれか一項に記載の方法。
【請求項１３】
前記選択検体は、グルコースである、請求項１から１２のいずれか一項に記載の方法。
【請求項１４】
前記干渉検体は、アスコルビン酸である、請求項１３に記載の方法。
【請求項１５】
第２の検体に対する検体ベクトルと前記少なくとも１つのパラメータとに基づいて、推定式の解を求めることにより、前記試料内の該第２の検体の濃度を決定することをさらに包含する、請求項１から１４のいずれか一項に記載の方法。
【請求項１６】
前記検体は、グルコース、酵素、過酸化水素、メディエータ、フェリシアン化物、フェロセン、ヘキサシアノ鉄酸塩、アスコルビン酸、尿酸、アセトアミノフェン、ドーパミンのうちの１つ以上である、請求項１から１５のいずれか一項に記載の方法。
【請求項１７】
前記少なくとも１つのパラメータは、周波数領域パラメータおよび／または時間領域パラメータである、請求項１から１６のいずれか一項に記載の方法。
【請求項１８】
装置であって、
電極システムに電圧波形を印加して、該電極システムから結果として生じる電流を検出するポテンショスタット回路と、
プログラム命令を有する少なくとも１つのメモリと、
プロセッサであって、該プログラム命令を実行することによって、
前記試料に大振幅電位刺激波形を印加することにより、非線形電流信号を生成することと、
前記生成信号を測定することと、
該生成信号の全部または一部の所望の周波数成分の少なくとも１つのフーリエ係数を計算することと、
該少なくとも１つのフーリエ係数を用いて、該混合試料内の前記選択検体の濃度を決定することにより、前記選択検体と干渉検体のそれぞれに対する検体ベクトルに基づいて、推定式の解を求めることとの動作を実行するように構成されているプロセッサと
を備えた、装置。
【請求項１９】
干渉検体を有する混合試料内の選択検体をモニタするために推定式を構築する方法であって、
大振幅電位刺激波形を選択することにより、該大振幅電位刺激波形が該試料に印加されたとき、非線形電流信号を生成することと、
該選択検体および干渉検体のそれぞれの、複数の異なる濃度を含む試料に該波形を印加して、その結果生じる基準電流信号を測定することと、
該基準電流信号のそれぞれに対して、フーリエ変換の実数部と虚数部の値を計算することと、
複数の周波数の各周波数において、該フーリエ変換のフーリエ係数の実数値および虚数値をプロットすることと、
該実数部と虚数部とが位相角において、相対的に大きな差を示す該複数の周波数のうちの１つの周波数を選択することと、
該選択された１つの周波数における該選択検体と干渉検体のそれぞれに対する検体ベクトルを計算することと、
該検体ベクトルおよび較正情報に基づいて、該推定式を構築することと
を包含し、
該較正情報は、該試料内のそれぞれの検体の濃度を複素平面におけるそれぞれの検体ベクトルの長さに関係づける、方法。
【請求項２０】
前記波形は、５０ｍＶよりも大きな変動を有する、請求項１９に記載の方法。
【請求項２１】
前記波形は、前記選択検体および／または干渉検体の電気化学的な反応から生じるファラデー電流信号を生成するように選択される、請求項１９または２０に記載の方法。
【請求項２２】
干渉検体を有する混合試料内の選択検体をモニタするために推定式を構築する方法であって、該方法は、
大振幅電位刺激波形を選択することにより、該大振幅電位刺激波形が該試料に印加されたとき、非線形電流信号を生成することと、
パラメータとして使用するために、該電流信号の信号特性を選択することと、
該選択検体および干渉検体の双方の異なる濃度を含む試料に該波形を印加することにより、その結果生じる基準電流信号を測定することと、
各基準信号に対する各パラメータ値を計算することと、
該試料内の該選択検体の濃度を推定するために、該計算値から選択個数のパラメータを有する線形推定子（ｅｓｔｉｍａｔｏｒ）として、かつ、十分な精度を有する該推定式を構築することと
を包含する、方法。
【請求項２３】
前記パラメータは、
前記電流信号の全部あるいは１つ以上の部分に対する１つ以上の周波数におけるフーリエ係数の１つ以上の実数部または虚数部と、
該電流信号の勾配と、
該電流信号の一部の立上がり速度または減衰速度と、
該電流信号において、ピークが起こる電位と、
該電流信号内のピーク値とのうちの１つ以上を含む、請求項２２に記載の方法。